(57)【要約】【課題】  本発明の目的は、一方の衣類部材／フードと他方の防毒マスクとの間の渡り部分を、この渡り部分を少なくとも実質的にシールすることである。【解決手段】  本発明は、特に衣類部材、好ましくはＮＢＣ防護服等の防護及び／若しくは軍事目的のためのフードが、顔開口部を形成する周縁（いわゆる縁状／環状の）弾性縁部を有し、該顔開口部が防毒マスクを受け入れるために設けられ、且つ前記縁部が使用状態において前記防毒マスクに当接し、前記顔開口部に対峙する前記縁部の側部（いわゆる使用状態において防毒マスクに対して対面する縁部の顔開口部の側部）が、前記有毒マスクに密閉当接するために、少なくとも一つの周縁（いわゆる縁状／環状）シールエレメントを有することにある。
2006526436.tif 000002
【特許請求の範囲】
【請求項１】
ＮＢＣ防護服のような防護及び軍事目的の衣類部材（２）のフード（１）であって、該フード（１）が、顔開口部（４）を形成する周縁弾性縁部（３）を具備し、前記顔開口部（４）が防毒マスク（５）を受け入れるために設けられ、且つ前記縁部（３）が使用状態において前記防毒マスクに当接するものにおいて、
前記顔開口部（４）に面する前記縁部（３）の側部が、前記防毒マスク（５）を封鎖接合するための少なくとも一つの周縁シールエレメント（６）を有することを特徴とするフード。
【請求項２】
前記シールエレメント（６）は、少なくとも実質的に線状に前記防毒マスク（５）に当接すること且つ／又は前記シールエレメント（６）は前記縁部（３）から突き出される及び／若しく膨出することを特徴とする請求項１記載のフード。
【請求項３】
前記シールエレメント（６）は、前記縁部（３）に固定されること、特に前記縁部（３）に、好ましくは縫合、編込み、接着、ステイプル、溶接等によって、永続的に結合されることを特徴とする請求項１又は２記載のフード。
【請求項４】
前記シールエレメント（６）は、前記縁部（３）の一部を構成すること、特に前記シールエレメント（６）及び前記縁部（３）は一体構造として形成されることを特徴とする前段請求項のいずれか一つに記載のフード。
【請求項５】
前記シールエレメント（６）は、シールリングとして、シールリップとして又はシール突出部として形成されることを特徴とする前段請求項のいずれか一つに記載のフード。
【請求項６】
前記シールエレメント（６）は、糸状、帯状、ひも状又は条片形状及び／若しくは蜘蛛の巣形状及び／若しくはハニカム形状であることを特徴とする前段請求項のいずれか一つに記載のフード。
【請求項７】
複数のシールエレメント（６）が設けられ、特にそれぞれのシールエレメント（６）が少なくとも実質的に平行に配置され、且つ／又はそれぞれのシールエレメント（６）がハニカム構造に形成されることを特徴とする前段請求項のいずれか一つに記載のフード。
【請求項８】
前記シールエレメント（６）は、弾性変形可能な材料からなること、特にシールエレメント（６）の弾性が、少なくとも縁部（３）の弾性と少なくとも実質的に対応していることを特徴とする前段請求項のいずれか一つに記載のフード。
【請求項９】
前記シールエレメント（６）の断面厚さｄは、前記縁部（３）の断面厚さＤの１／４以上であり、特に１／３以上であり、好ましくは２／３以上であり、より好ましくは３／４であること、且つ／又は前記シールエレメント（６）は、前記縁部から０．１ｍｍ以上、特に０．２５ｍｍ以上、好ましくは０．４ｍｍ以上、より好ましくは０．６ｍｍ以上、さらには１ｍｍ以上の大きさで、突き出される又は膨出すること特徴とする前段請求項のいずれか一つに記載のフード。
【請求項１０】
前記シールエレメント（６）が、元の長さを基礎として、２０％以上、特に３０％以上、好ましくは５０％以上、より好ましくは７０％以上、さらには８５％以上の相対的弾性伸び率を有すること且つ／又はシールエレメント（６）を形成する材料が、１０８Ｎ・ｍ―２以下、特に１０７Ｎ・ｍ―２以下、好ましくは５・１０６Ｎ・ｍ―２以下、さらに好ましくは５・１０５Ｎ・ｍ―２から９・１０６Ｎ・ｍ―２までの範囲内の２５℃引張弾性率を有することを特徴とする前段請求項のいずれか一つに記載のフード。
【請求項１１】
前記顔開口部（４）を有するフード（１）が、特に顔開口部（４）の側部に、特に接触及び閉鎖留め具又はジッパーの形状の留め具（７）を具備すること、且つ／又は前記フード（１）が、残りの衣類部材（２）に対して着脱自在であることを特徴とする前段請求項のいずれか一つに記載のフード。
【請求項１２】
前記フード（１）が、全体又は部分的にその内側表面に裏地で裏打ちされ、該裏地が、吸着可能材料、特に活性炭、好ましくは活性炭小粒又は小球の形の活性炭、且つ／又は活性炭繊維、且つ／又は水蒸気透過で少なくとも実質的に気体及び／若しくは空気不浸透性で、特に化学兵器における有害ガス又は液体の通過を防止又は遅延させるバリヤー層を具備することを特徴とする前段請求項のいずれか一つに記載のフード。
【請求項１３】
前記フード（１）は、前記顔開口部（４）の上に、少なくとも一つのループ又はタブ等（８）を具備することを特徴とする前段請求項のいずれか一つに記載のフード。
【請求項１４】
好ましくは、ＮＢＣ防護スーツのような防護及び／若しくは軍事目的のための衣類部材（２）であって、前段請求項のいずれか一つに記載のフード（１）を具備することを特徴とする衣類部材。
【請求項１５】
前記フード（１）が、残りの衣類部材（２）に、特に縫合、編込み、接着、ステイプル等によって永続的に接合されること、又は前記フード（１）及び前記残りの衣類部材（２）が一体構造を形成すること、又は前記フード（１）が前記残りの衣類部材（２）に対して、ジッパー又は接触及び閉鎖留め具によって、着脱自在であることを特徴とする請求項１４記載の衣類部材。
【請求項１６】
衣類部材（２）は、裏地でその内側面を全体又は部分的に裏打ちされており、該裏地は、吸着能力を有する材料、特に活性炭、好ましくは活性炭小粒又は球粒の形の活性炭、及び／若しくは活性炭繊維、且つ／又は水蒸気透過性で、少なくとも実質的に気体及び／若しくは空気非透過性で、特に化学兵器における有害ガス又は液体の通過を防止又は少なくとも遅延するバリヤー層を具備することを特徴とする請求項１４又は１５記載の衣類部材。
【請求項１７】
ＮＢＣ防護服等の防護及び／若しくは軍事目的のための衣類部材（２）であって、該衣類部材（２）は、少なくとも手、腕、足、脚又は頭部のような体の一部のための少なくとも一つの開口部（４）であって、該開口部（４）を形成するための周辺弾性縁部（３）を有し、前記開口部（４）が、特に滑らかな表面生地を有するさらなる衣類部材を受容し及び／若しくは装具品（５）を受容するために設けられ、前記縁部（３）が、その使用状態において、前記さらなる衣類部材及び／若しくは前記装具品（５）に当接する衣類部材（２）において、
前記さらなる衣類部材及び／若しくは前記装具品（５）に対面する縁部（３）の側部、好ましくは開口部（４）に対峙する縁部（３）の側部が、前記さらなる衣類部材及び／若しくは前記装具品（５）との密接当接のための少なくとも一つの周縁シールエレメント（６）を有することを特徴とする衣類部材。
【請求項１８】
請求項１〜１６のいずれか一つの特徴部分の特徴によって特徴づけられる請求項１７記載の衣類部材。
【請求項１９】
一方の衣類部材（２）の一部、特にフード（１）と、他方のさらなる衣類部材及び／若しくは装具品（５）、特に防毒マスクとの間の渡り部分を閉鎖するための弾性縁部（３）の使用において、
前記さらなる衣類部材及び／若しくは装具品（５）が、前記さらなる衣類部材及び／若しくは装具品の密閉当接のための少なくとも一つの周縁シールエレメントを有することを特徴とする弾性縁部の使用。
【請求項２０】
好ましくは、ＮＢＣ防護服及び防毒マスクのような防護及び／若しくは軍事目的のための前記衣類部材（２）が具備するフード（１）の渡り部分を密閉閉鎖することを特徴とする請求項１９記載の弾性縁部の使用。
【請求項２１】
請求項１〜１６のいずれか一つの特徴部分の特徴によって特徴づけられる請求項１９又は２０記載の弾性縁部の使用。
【発明の詳細な説明】
【技術分野】
【０００１】
本願発明は、請求項１の前段部分に分類されたように、特にＮＢＣ防護服／スーツにような防護及び／若しくは軍事目的ための衣類部材のためのフードに関する。さらに、本願発明は、フードのような装着物がついたＮＢＣ防護服のような防護及び／若しくは軍事目的のため衣類部材に関する。
【０００２】
さらに、本願発明は、請求項１７の前段部分において分類されるように、特にＮＢＣ防護服等のような防護及び／若しくは軍事目的のための衣類部材に関する。最後に、請求項１９の前段部分において分類されるように、一方では衣類部材の一部、特にフードとの渡り部分、他方では他の衣類部材又は装具品（装着品）、特に防毒マスクとの渡り部分を密閉するための弾性縁部の使用に関する。
【背景技術】
【０００３】
呼吸系通路を介して吸い込まれる有毒物質と接触する人々は、防毒マスクを装着することによってこれらの有毒物質から彼ら自身を守らなければならない。さらに、有毒物質が、皮膚を介して吸い上げられ又は吸い込まれる危険がある場合、若しくはそれがそれらの装具品（たとえば、装着物）の一部である場合、これらの人々（たとえば、軍人、消防士、警察官、ＧＳＧ９のような特殊部隊のメンバー等）は、付加的に、皮膚又は身体に、有毒物質が接触することを防止し、一般的に、フードを備えた防護衣類、特にＮＢＣ防護服を着けなければならない。そのようなＮＢＣ防護服のフードは、防毒マスクを受けるために設けられる顔開口部を形成する周縁（例えば、環状又は縁状）部、特に弾性周辺縁部を有し、前記フードの縁部は、使用状態において防毒マスクに当接するように設計されている。
【特許文献１】ＤＥ  １９８  ２９  ９７５  Ａ１
【特許文献２】ＤＥ  ３９  ３９  ３７３  Ａ１
【特許文献３】ＤＥ  ３８  １５  ７２０  Ａ１
【特許文献４】ＤＥ  １９５  １９  ８６９  Ａ１
【特許文献５】ＤＥ  １９８  ４２  ２７４  Ａ１
【特許文献６】ＤＥ  １０２  ４０  ５４８
【非特許文献１】ロンフ−ケミエレクシコン、第１０版、第２巻、１９９７年、第１１０４〜１１６頁、見出し「エラスト−ファーゼン」、Georg Thieme Verlag Stuttgart／ニューヨーク
【発明の開示】
【発明が解決しようとする課題】
【０００４】
しかしながら、これは、一方の前記フード／縁部と他方の防毒マスクとの間の渡り部分が、ほとんどの場合で、十分にシールされていないので、問題が生じる。したがって、有毒又は危険な物質は、前記フード／縁部と前記防毒マスクとの間の不適切にシールされた渡り部分を介して通過するので、そのような防護服を着用している人は、これらの物質に接触してしまうか、又はこれらの物質が防毒マスクの縁部の下を通過するので、最終的にそれらを吸引してしまう。例えばマスタードガス（すでにＨｄとして知られているビス（２―クロロエチル）スルフィド）のような皮膚接触毒に晒される時、これは、このような防護服を着用している人に、特に危険である。
【０００５】
それから、本願発明の目的は、好ましくは防護及び／若しくは軍事目的のために、ＮＢＣ防護服のような衣類部材を提供することであり、また、より正確には、少なくとも上述したような問題を実質的に避けることのできるそのような衣類部材のフードを提供することにある。特に、本願発明の目的は、一方の衣類部材／フードと他方の防毒マスクとの間の渡り部分を、この渡り部分が少なくとも実質的にシールされるようにすることである。
【課題を解決するための手段】
【０００６】
この目的は、請求項１に係るフード及び請求項１７に係る衣類部材によって達成することができる。さらに、有益な改良及び手法が、従属クレームの主題の一部を形成する。
【０００７】
したがって、本願発明の第1の様相によれば、特に衣類部材、好ましくはＮＢＣ防護服等の防護及び／若しくは軍事目的のためのフードが、顔開口部を形成する周縁（いわゆる縁状／環状の）弾性縁部を有し、該顔開口部が防毒マスクを受け入れるために設けられ、且つ前記縁部が使用状態において前記防毒マスクに当接し、前記顔開口部に対峙する前記縁部の側部（いわゆる使用状態において防毒マスクに対して対面する縁部の顔開口部の側部）が、前記有毒マスクに密閉当接するために、少なくとも一つの周縁（いわゆる縁状／環状）シールエレメントを有する。
【０００８】
本願発明の基本的な概念は、前記顔開口部に対峙する縁部側面（例えば、縁部の側面が使用状態において前記防毒マスクに対峙する縁部の側面）に、少なくとも一つの周縁（例えば、縁状又は環状）シールエレメントに、前記顔開口部を形成する上述したフードの縁部を装着することである。その結果、使用状態において、防毒マスクが装着されているとき、一方のフード／縁部と他方の防毒マスクとの間の渡り部分のシールが、達成され、また十分に改善される。
【０００９】
使用状態において、例えば防毒マスクが装着されているときに、シールエレメントは、防毒マスク上に位置し、下にある防毒マスクと洩れ止め摩擦掴み接続が生じる。
【００１０】
縁部及びシールエレメントに関してここで使用される「周縁」（例えば、同義語として「縁状」／「環状」）という言葉は、その狭い意味だけでなく、より広い意味において本発明に関して理解されるべきである。その結果、「周縁」（例えば、「縁状」／「環状」）は、前記縁部又はシールエレメントが密閉リング又は環を形成する状態だけでなく、前記縁部及びシールエレメントが２つの離れている端部を有する状態（例えば、フードが密閉又は密閉可能な開口部からなるとき）も明示することができ、その場合に、前記縁部及び前記シールエレメントの２つの離れている端部が、お互いの先端に位置することができ、また少なくとも本質的にその端部同士を結ぶことができる。これもまた、本発明の目的について、「周縁」（例えば、同義語として「縁状」／「環状」）の言葉によって包含されるものとして理解されるべきである。決定的なものは、周縁シールエレメントは、例えば溝及び開口部なしの少なくとも実質的に連続したものであり、これにより、それは防毒マスクに対して封鎖的に当接している。
【００１１】
前記シールエレメントは、少なくとも実質的に線状で前記防毒マスクに当接するとき、及び／若しくはシールエレメントが縁部から突き出され及び／若しく膨出する時に、特に利点がある。使用状態における防毒マスクの少なくとも実質的に線状である当接は、より高い当接圧を生じ、その結果として改善された密閉を生じる。前記シールエレメントによる前記防毒マスクの少なくとも実質的な線状の当接を達成するために、前記シールエレメントは、適切に形成されなければならない。
【発明を実施するための最良の形態】
【００１２】
以下、この発明の実施例について図面により説明する。
【実施例】
【００１３】
図１は、好ましくはＮＢＣ防護服等の防護及び／若しくは軍事目的のための本願発明の衣類部材２を示しており、この衣類部材２は、本願発明のフード１を備えるものである。このフード１は、顔開口部４を形成する周縁弾性縁部３を有している。図２及び図３（ａ）から明らかなように、前記顔開口部４は、防毒マスク５を受容するために設けられる。前記縁部４は、使用状態において、前記防毒マスク５に当接する。
【００１４】
図３（ｂ）は、図３（ａ）において特に記された領域を、概略拡大図として示しており、前記縁部３が前記防毒マスク５に当接し、図３（ｂ）の表示において矢印方向で示される上に向かってめくられていること、及び前記防毒マスクに関する密閉当接のために設けられ、さらに前記顔開口部４に対峙する前記縁部の側面又は使用状態において前記防毒マスクに対峙する延期縁部の側面に設けられる本願発明に係るシールエレメント６を表している。
【００１５】
特別な例において、本願発明によって設けられた前記シールエレメント６は、少なくとも実質的に線状で前記防毒マスク５に当接する。それは、図３（ｂ）で示すように、この目的のために適切に形成される。少なくとも実質的に線状で当接する利点は、一般的な記載部分において上述された。
【００１６】
本願発明によって設けられたシールエレメント６の機能は、図５と共に図６において図示される。図６は、図５において示されるＶＩ−ＶＩ一点鎖線に沿った拡大断面図である。図６からわかるように、使用状態において、防毒マスク５が装着された場合、シールエレメント６は、前記縁部３と共に少なくとも実質的に線状で当接し、前記縁部３は前記防毒マスク５に対して前記シールエレメント６を押圧する。前記シールエレメント６の少なくとも実質的な線状の当接は、接触圧を上昇させ、優れた密閉状態を確保する。
【００１７】
図４（ａ）から明らかなように、縁部６に複数のシールエレメント６、好ましくは少なくとも２つのシールエレメント６を設けることが有益である。前記シールエレメントの配置に関するいろいろな構成が、その場合によって可能である。図４（ａ）が示すように、それぞれのシールエレメント６は、少なくとも実質的に平行配置される。さらに、例えば、前記シールエレメント６がハニカム構造（図示しない）を形成するようにそれぞれのシールエレメント６を配置することもできる。重要なことは、縁部３と防毒マスクの間の洩れない接続が使用状態において達成されることだけである。
【００１８】
図４（ｂ）、（ｃ）の断面図は、前記シールエレメント６が、突き出される及び／若しくは縁部から膨出することを示している。これは、2次元当接の代わりに、使用時において実質的に線状当接を提供し、より高い接触圧及びより高い密閉性を助長する。
【００１９】
本願発明によって設けられるシールエレメント６は、特にシールリング又はシール突起として形成される。一般的には、これは縁部３の高さ又は立ち上がりを生じる。
【００２０】
前記シールエレメント６は、好ましくは縫合、編込み、接着、ステイプル、溶接等によって、前記縁部３に固定、特に前記縁部３への永続的に結合されるものであり、その例が図４（ｂ）に示される。他の例において、前記シールエレメント６は、縁部３の一部であり、特にシールエレメント６及び前記縁部３は、図４（ｃ）で示すように、一体構造として形成されることが望ましい。
【００２１】
本願発明によって設けられたシールエレメントは、糸、ひも又は細長い片形状であり、また蜘蛛の巣状又はハニカム状である。
【００２２】
一般的に、前記シールエレメント６は、弾力的に変形することのできる材料からなる。前記シールエレメント６の弾力性は、少なくとも実質的に縁部３の弾力性に対応するか、又はそれ以上であることを確保することに注意を払わなければならない。
【００２３】
本発明の特別な例において、前記シールエレメント６は、その元の長さを基礎として、２０％以上、特には３０％以上、好ましくは５０％以上、さらに好ましくは７０％以上、さらにより好ましくは８５％以上の相対的に弾力性のある伸び率又は伸長性を有する。本発明の特別な例において、シールエレメント６を構成する材料の２５℃引張弾性率は、１０８Ｎ・ｍ―２以下、特には１０７Ｎ・ｍ―２以下、好ましくは５・１０６Ｎ・ｍ―２以下であり、さらには、５・１０５Ｎ・ｍ―２から９・１０６Ｎ・ｍ―２までの範囲内であることが望ましい。
【００２４】
本発明のさらなる例において、図４（ｂ）で示されるシールエレメント６の断面厚さｄは、図４（ｂ）で示される前記縁部３の断面厚さＤの１／４以上、特には１／３以上、好ましくは２／３以上、より好ましくは３／４以上である時に有益である。特に、シールエレメント６は、０．１ｍｍ以上、特には０．２５ｍｍ以上、好ましくは０．４ｍｍ以上、より好ましくは６ｍｍ以上、さらには１ｍｍ以上の範囲で、前記縁部３から突き出され及び／若しくは膨出するべきである。結果として、特別に良好なシール効果が達成される。
【００２５】
本発明によって設けられるシールエレメント６を構成する材料は、本発明の範囲での使用に最適である限りにおいて、例えば、ある種のゴム、合成ゴム、弾性プラスティック等であることが好ましい。特に、これらの材料は、所定の温度及びＵＶ安定性、さらには、攻撃的媒体、特に戦争兵器、さらには体液、特に汗に対する所定の抵抗を有することに利点がある。また、前記材料が撥水性を有することに利点がある。
【００２６】
本発明による最適な材料の例は、ある種の弾性繊維である（非特許文献１：ロンフ−ケミエレクシコン、第１０版、第２巻、１９９７年、第１１０４〜１１６頁、見出し「エラスト−ファーゼン」、Georg Thieme Verlag Stuttgart／ニューヨーク）。また、前記弾性繊維は、大きな伸長性を有する繊維から製造され、伸長力を排除されると、実質的に元の状態に復帰する。最も重要な例は、分葉ポリウレタンの少なくとも８５重量％までに存在するハイポリマーから構成されるエラスタン繊維、及び合成ポリイソプレン又は一つ以上のビニルモノマーを有するか又はなしの一つ以上のジエンを重合化することによって形成されたハイポリマーからなるエラストジエン繊維である。前記第２群は、天然ゴムから形成されるゴム弾性繊維を含むものとして考えることが望ましい。エラストジエンは、通常加硫処理される。弾性特性は、ポリミド及びポリウレタンからなる複合繊維によっても獲得される。詳細については、上記非特許文献１を参照。そのような繊維の寸法は、本願発明の目的のために、適切に適合されなければならない。そのような繊維は、例えば縁材料と合体される。
【００２７】
図１及び図２に示されるように、例えば、本発明の顔開口部４を有するフード１は、特に顔開口部４の側部に、例えば、接触及び密閉留め具又はジッパーの形である留め具７を具備する。留め具は、防毒マスクを装着しやすくし、また着心地を高めたものであり、前記フードは、防毒マスクが必要ない状態では開くことができるものである。しかしながら、前記フード留め具７が、少なくとも実質的にしっかりと密閉可能であることは確保されるべきである。原則として、前記留め具は、顔開口部４の所望の位置、例えば顔開口部４に関して横方向だけでなく中央に設けることもできるものである。しかしながら、実際には、前記留め具７が、着心地及び優れたシール性等の特に実用的な理由において、顔開口部４の側部に位置されることに利点があると思われる。
【００２８】
前記フード１は、前記衣類部材２のその他の部分に対して、例えば接触及び密閉留め具又はジッパーを介して着脱自在とされることが望ましい。この例に関して、衣類部材２のその他の部分と前記フード１は、少なくとも実質的にお互いにしっかりと結合可能なものである。フード１が前記衣類部材２の一部であり、特にそこに縫合され、又は一体構成物として形成されることも同様に可能である。
【００２９】
さらなる例において、図１及び図２に示されるように、本願発明のフード１が、前記顔開口部４の上方に、少なくとも一つのループ、タブ等８を設けることが好ましい。これによって、フード１が、フード１の上にヘルメット又は何か他の頭部カバーと共に着用される場合、特に前記顔開口部４及び／若しくはフード１を調整することができるようになるものである。
【００３０】
有毒物質、特に戦争兵器をフード１で排除することを可能にするために、及び／若しくは、代わりに、フード１を貫通してしまった有毒物質の除去を確実にするために、前記フード１は、その内面に全体的又は部分的に、吸着可能材料、特に、例えば活性炭小粒又は球状の形の活性炭、又は活性炭繊維からなる裏地で裏打ちされることが望ましい。そのような吸着可能部材のいずれか一つ又は組み合わせで、前記裏地は、水蒸気透過性、少なくとも実質的にガス及び／若しくは空気不透過性で、有害ガス又は液体、特に化学兵器の通過を少なくとも阻止するバリヤー層からなることが望ましい。吸着層及び／若しくはバリヤー層で形成されるそのような裏地は、従来技術からすでに公知である。これに関する引例は、例えば、ＤＥ  １９８  ２９  ９７５  Ａ１、ＤＥ  ３９  ３９  ３７３  Ａ１、ＤＥ  ３８  １５  ７２０  Ａ１、ＤＥ  １９５  １９  ８６９  Ａ１、ＤＥ  １９８  ４２  ２７４  Ａ１及びＤＥ  １０２  ４０  ５４８であり、それぞれが開示する内容は、ここに組み込まれる。
【００３１】
特別な例において、全体の衣類部材２は全体的又は部分的に、そのような裏地が装着されることが好ましい。
【００３２】
したがって、本発明は、請求項１７の前段に記載されたように、ＮＢＣ防護服等のような特に防護及び／若しくは軍事目的のための衣類部材を提供することにある。したがって、本発明のフード及び本発明の衣類部材に関する上記所見は、それぞれに適用されるものである。
【００３３】
したがって、本発明は、ＮＢＣ防護服等のような特に防護及び／若しくは軍事目的のための衣類部材を提供するものであり、前記衣類部材が、身体の一部（例えば、手、腕、足、脚又は頭）のための少なくとも一つの開口部であって、この開口部を形成する周縁弾性縁部を有し、特に滑らかな表面生地を有する他の衣類部材（例えば防護手袋等）を受容するために且つ／又は装着品（いわゆる装置の一部、例えば防毒マスク等）を需要するために設けられるもの、及び前記他の衣類部材及び／若しくは使用状態において装着品（装置の一部）に当接する縁部を有するものにおいて、使用状態において前記他の衣類部材及び／若しくは装着される品（いわゆる装置の一部）に対面する縁部の側部、好ましくは前記開口部に対面する縁部の側部が、前記他の衣類部材及び／若しくは装着品（装置製品）の当接部分を密閉するための少なくとも一つの周縁シールエレメントを具備することにある。さらなる詳細については、引例は、本願発明に関して且つ本願発明の衣類部材に関して上記所見をなし、したがってそれはここに適用される。
【００３４】
このように、一方の身体の部分のための衣類部材に設けられる開口部と他方の別の衣類部材又は装着品（装置製品）の間の渡りの部分を、対応する開口部がその適当な側で上述した種類の少なくとも一つのシールエレメントを具備する縁部を有することで密閉することは、本発明のさらなる基本的な概念である。
【００３５】
最後に、本発明は、さらに、一方の衣類部材の一部、特にフードと、他方の他の衣類部材及び／若しくは装着品（装置製品）、特に防毒マスクとの間の渡り部分を密閉するための弾性縁部の使用を提供するものにおいて、前記他の衣類部材及び／若しくは装着品（装置製品）に対峙する縁部の側部が、前記他の衣類部材及び／若しくは装着品（装置製品）の密閉された当接のため少なくとも一つのシールエレメントを具備することにある。したがって、本願発明のフードに関し且つ本願発明の衣類部材に関する各々の所見は、本願発明のよる使用に関しても適用される。
【００３６】
本発明のさらなる改善、改良、変形は、本発明の範囲から離れることがないならば、本記載を読んだ後には、その通常の知識を有する者によて容易に理解し且つ認識することができるであろう。
【図面の簡単な説明】
【００３７】
【図１】図１は、本発明のフードを備えた本発明の衣類部材の概略構成図である。
【図２】図２は、使用状態における本発明のフードの概略構成図である。
【図３】図３（ａ）は、使用状態である本発明のフードの図２の一点鎖線によって示された領域の拡大図であり、図３（ｂ）は、図３Ａの一点鎖線によって示される領域の拡大図である。
【図４】図４（ａ）は、シールエレメントに装着される本願発明に係る縁部の概略平面図であり、図４（ｂ），（ｃ）は、シールエレメントに装着される本願発明の２つの実施例に係る縁部の概略断面図である。
【図５】本発明のフードの使用状態を示した側面図である。
【図６】図５のＶＩ−ＶＩ線に沿って切断された拡大断面図である。
【符号の説明】
【００３８】
１  フード
２  衣類部材
３  縁部
４  顔開口部
５  防毒マスク
６  シールエレメント
７  留め具
８  ループ（タブ）
【図１】
2006526436.tif 000003
【図２】
2006526436.tif 000004
【図３】
2006526436.tif 000005
【図４】
2006526436.tif 000006
【図５】
2006526436.tif 000007
【図６】
2006526436.tif 000008
【手続補正書】
【提出日】平成17年3月21日(2005.3.21)
【手続補正１】
【補正対象書類名】特許請求の範囲
【補正対象項目名】全文
【補正方法】変更
【補正の内容】
【特許請求の範囲】
【請求項１】
防毒マスク（５）を受容するために設けられる顔開口部（４）を形成するための周囲（周縁）弾性縁部（３）と、使用状態において前記防毒マスク（５）に当接する縁部（３）とを具備するＮＢＣ防護服のような好ましくは防護及び／若しくは軍事目的のための衣類部材（２）のためのフード（１）において、
前記顔開口部に対峙する前記縁部（３）の側部が、前記縁部（３）と永続的に結合され、且つ前記防毒マスク（５）の密閉当接のための弾性繊維の形である複数の周縁シールエレメント（６）を有することを特徴とするフード。
【請求項２】
前記シールエレメント（６）は、少なくとも実質的に線状で前記防毒マスクに当接し、且つ／又は前記シールエレメント（６）は、前記縁部（３）から突き出され及び／若しくは膨出することを特徴とする請求項１記載のフード。
【請求項３】
前記シールエレメント（６）は、縫合、編込み、接着、ステイプル、溶接等によって、前記縁部（３）に固定されることを特徴とする請求項1又は２記載のフード。
【請求項４】
前記シールエレメント（６）は、シールリングとして、シールリップとして又はシール突出部として形成されることを特徴とする前段請求項のいずれか一つに記載のフード。
【請求項５】
前記シールエレメント（６）は、糸状、帯状、ひも状又は条片形状、及び／若しくは蜘蛛の巣形状、及び／若しくはハニカム形状であることを特徴とする前段請求項のいずれか一つに記載のフード。
【請求項６】
それぞれのシールエレメント（６）が少なくとも実質的に平行に配置され、且つ／又はそれぞれのシールエレメント（６）がハニカム構造に形成されることを特徴とする前段請求項のいずれか一つに記載のフード。
【請求項７】
シールエレメント（６）の弾性が、少なくとも縁部（３）の弾性と少なくとも実質的に対応していることを特徴とする前段請求項のいずれか一つに記載のフード。
【請求項８】
前記シールエレメント（６）の断面厚さｄは、前記縁部（３）の断面厚さＤの１／４以上であり、特に１／３以上であり、好ましくは２／３以上であり、より好ましくは３／４であること、且つ／又は前記シールエレメント（６）は、前記縁部から０．１ｍｍ以上、特に０．２５ｍｍ以上、好ましくは０．４ｍｍ以上、より好ましくは０．６ｍｍ以上、さらには１ｍｍ以上の大きさで、突き出される又は膨出すること特徴とする前段請求項のいずれか一つに記載のフード。
【請求項９】
前記シールエレメント（６）が、元の長さを基礎として、２０％以上、特に３０％以上、好ましくは５０％以上、より好ましくは７０％以上、さらには８５％以上の相対的弾性伸び率を有すること、且つ／又はシールエレメント（６）を形成する材料が、１０８Ｎ・ｍ―２以下、特に１０７Ｎ・ｍ―２以下、好ましくは５・１０６Ｎ・ｍ―２以下、さらに好ましくは５・１０５Ｎ・ｍ―２から９・１０６Ｎ・ｍ―２までの範囲内の２５℃引張弾性率を有することを特徴とする前段請求項のいずれか一つに記載のフード。
【請求項１０】
前記顔開口部（４）を有するフード（１）が、特に顔開口部（４）の側部に、特に接触及び閉鎖留め具又はジッパーの形状の留め具（７）を具備すること、且つ／又は前記フード（１）が、残りの衣類部材（２）に対して着脱自在であることを特徴とする前段請求項のいずれか一つに記載のフード。
【請求項１１】
前記フード（１）が、全体又は部分的にその内側表面に裏地で裏打ちされ、該裏地が、吸着可能材料、特に活性炭、好ましくは活性炭小粒又は小球の形の活性炭、且つ／又は活性炭繊維、且つ／又は水蒸気透過で少なくとも実質的に気体及び／若しくは空気不浸透性で、特に化学兵器における有害ガス又は液体の通過を防止又は遅延させるバリヤー層を具備することを特徴とする前段請求項のいずれか一つに記載のフード。
【請求項１２】
前記フード（１）は、前記顔開口部（４）の上に、少なくとも一つのループ又はタブ等（８）を具備することを特徴とする前段請求項のいずれか一つに記載のフード。
【請求項１３】
好ましくは、ＮＢＣ防護スーツのような防護及び／若しくは軍事目的のための衣類部材（２）であって、前段請求項のいずれか一つに記載のフード（１）を具備することを特徴とする衣類部材。
【請求項１４】
前記フード（１）が、残りの衣類部材（２）に、特に縫合、編込み、接着、ステイプル等によって永続的に接合されること、又は前記フード（１）及び前記残りの衣類部材（２）が一体構造を形成すること、又は前記フード（１）が前記残りの衣類部材（２）に対して、ジッパー又は接触及び閉鎖留め具によって、着脱自在であることを特徴とする請求項１３記載の衣類部材。
【請求項１５】
衣類部材（２）は、裏地でその内側面を全体又は部分的に裏打ちされており、該裏地は、吸着能力を有する材料、特に活性炭、好ましくは活性炭小粒又は球粒の形の活性炭、及び／若しくは活性炭繊維、且つ／又は水蒸気透過性で、少なくとも実質的に気体及び／若しくは空気非透過性で、特に化学兵器における有害ガス又は液体の通過を防止又は少なくとも遅延するバリヤー層を具備することを特徴とする請求項１３又は１４記載の衣類部材。
【請求項１６】
ＮＢＣ防護服等の防護及び／若しくは軍事目的のための衣類部材（２）であって、該衣類部材（２）は、少なくとも手、腕、足、脚又は頭部のような体の一部のための少なくとも一つの開口部（４）であって、該開口部（４）を形成するための周辺弾性縁部（３）を有し、前記開口部（４）が、特に滑らかな表面生地を有するさらなる衣類部材を受容し及び／若しくは装具品（５）を受容するために設けられ、前記縁部（３）が、その使用状態において、前記さらなる衣類部材及び／若しくは前記装具品（５）に当接する衣類部材（２）において、
前記さらなる衣類部材及び／若しくは前記装具品（５）に対面する縁部（３）の側部、好ましくは開口部（４）に対峙する縁部（３）の側部が、前記縁部（３）と永続的に接続され、且つ前記さらなる衣類部材及び／若しくは前記装具品（５）との密接当接のための弾性繊維の形である複数の周縁シールエレメント（６）を有することを特徴とする衣類部材。
【請求項１７】
請求項１〜１５のいずれか一つの特徴部分の特徴によって特徴づけられる請求項１６記載の衣類部材。
【請求項１８】
一方の衣類部材（２）の一部、特にフード（１）と、他方のさらなる衣類部材及び／若しくは装具品（５）、特に防毒マスクとの間の渡り部分を閉鎖するための弾性縁部（３）の使用において、
前記さらなる衣類部材及び／若しくは前記装具品（５）に対面する縁部（３）の側部が、前記縁部（３）と永続的に接続され、且つ前記さらなる衣類部材及び／若しくは前記装具品（装置製品）（５）との密接当接のための弾性繊維の形である複数の周縁シールエレメント（６）を有することを特徴とする弾性縁部の使用。
【請求項１９】
好ましくは、ＮＢＣ防護服及び防毒マスクのような防護及び／若しくは軍事目的のための前記衣類部材（２）が具備するフード（１）の渡り部分を密閉閉鎖することを特徴とする請求項１８記載の弾性縁部の使用。
【請求項２０】
請求項１〜１５のいずれか一つの特徴部分の特徴によって特徴づけられる請求項１８又は１９記載の弾性縁部の使用。
【手続補正書】
【提出日】平成18年4月4日(2006.4.4)
【手続補正１】
【補正対象書類名】特許請求の範囲
【補正対象項目名】全文
【補正方法】変更
【補正の内容】
【特許請求の範囲】
【請求項１】
防毒マスク（５）を受容するために設けられる顔開口部（４）を形成するための周囲（周縁）弾性縁部（３）と、使用状態において前記防毒マスク（５）に当接する縁部（３）とを具備するＮＢＣ防護服のような好ましくは防護及び／若しくは軍事目的のための衣類部材（２）のためのフード（１）において、
前記顔開口部に対峙する前記縁部（３）の側部が、前記縁部（３）と永続的に結合され、且つ前記防毒マスク（５）の密閉当接のための弾性繊維の形である複数の周縁シールエレメント（６）を有することを特徴とするフード。
【請求項２】
ＮＢＣ防護服等の防護及び／若しくは軍事目的のための衣類部材（２）であって、該衣類部材（２）は、少なくとも手、腕、足、脚又は頭部のような体の一部のための少なくとも一つの開口部（４）であって、該開口部（４）を形成するための周辺弾性縁部（３）を有し、前記開口部（４）が、特に滑らかな表面生地を有するさらなる衣類部材を受容し及び／若しくは装具品（５）を受容するために設けられ、前記縁部（３）が、その使用状態において、前記さらなる衣類部材及び／若しくは前記装具品（５）に当接する衣類部材（２）において、
前記さらなる衣類部材及び／若しくは前記装具品（５）に対面する縁部（３）の側部、好ましくは開口部（４）に対峙する縁部（３）の側部が、前記縁部（３）と永続的に接続され、且つ前記さらなる衣類部材及び／若しくは前記装具品（５）との密接当接のための弾性繊維の形である複数の周縁シールエレメント（６）を有することを特徴とする衣類部材。
【請求項３】
一方の衣類部材（２）の一部、特にフード（１）と、他方のさらなる衣類部材及び／若しくは装具品（５）、特に防毒マスクとの間の渡り部分を閉鎖するための弾性縁部（３）の使用において、
前記さらなる衣類部材及び／若しくは前記装具品（５）に対面する縁部（３）の側部が、前記縁部（３）と永続的に接続され、且つ前記さらなる衣類部材及び／若しくは前記装具品（装置製品）（５）との密接当接のための弾性繊維の形である複数の周縁シールエレメント（６）を有することを特徴とする弾性縁部の使用。
【国際調査報告】
2006526436.tif 000009
2006526436.tif 000010
2006526436.tif 000011
2006526436.tif 000012
2006526436.tif 000013
2006526436.tif 000014